(57)【要約】【課題】安価で且つ簡易に、また軽量に製作でき、梱包後の被梱包物に対する弾力フィット性を２次元的に拡張可能にする。【解決手段】被梱包物Ｐに装着してこれを保護するよう織物製生地による表生地２と編物製生地による裏生地３との間に緩衝材４を介装してキルティング加工し、三層構造とした梱包保護具本体１とする。裏生地３は、伸縮自在な糸素材を編み込んで伸張可能とした伸縮性面素材によって形成し、裏生地３と表生地２とを共に伸張させて緩衝材４を挟み込んでキルティング加工する。また梱包保護具本体１は、裏生地３の伸張方向が少なくとも胴周方向となるようにキルティング加工した筒状に形成し、いずれか一方の開口部１１を、所定形状の閉塞片を開口部１１に連設して閉塞したり、開口部１１を集束するよう窄めて閉塞したりして袋状に構成し、さらに表生地２、裏生地３に撥水性を付与する。【選択図】図１
2014111475.tif 000002
【特許請求の範囲】
【請求項１】
被梱包物に装着して、この被梱包物を保護するよう表生地と裏生地との間に緩衝材を介装してキルティング加工した梱包保護具本体を備えて成る伸縮保護具において、裏生地は、伸縮自在に編み込んで伸張可能とした伸縮性面素材によって形成されていて、この裏生地と表生地とを共に伸張させた状態で緩衝材を挟み込んで重ね合わせてキルティング加工を施し、伸縮可能にして成ることを特徴とする伸縮保護具。
【請求項２】
表生地、裏生地は共に編物製生地としてある請求項１記載の伸縮保護具。
【請求項３】
表生地は織物製生地であり、裏生地は編物製生地であるとして形成した請求項１記載の伸縮保護具。
【請求項４】
編物製生地である裏生地あるいは表生地の表面には、非編物製生地の素材による保護カバーを伸縮可能に重ね合わせて被装することで形成した請求項１乃至３のいずれか記載の伸縮保護具。
【請求項５】
保護カバーは表生地である請求項４に記載の伸縮保護具。
【請求項６】
裏生地は、伸縮自在な糸素材を編み込んで形成してある請求項１乃至５のいずれか記載の伸縮保護具。
【請求項７】
梱包保護具本体は、全方向に伸張可能に形成した請求項１乃至６のいずれか記載の伸縮保護具。
【請求項８】
梱包保護具本体は、裏生地の伸張方向が少なくとも胴周方向となるようにキルティング加工された筒状に形成した請求項１乃至７のいずれか記載の伸縮保護具。
【請求項９】
筒状に形成した梱包保護具本体の少なくともいずれか一方の開口部を、所定形状の閉塞片の周縁を開口部に連設して閉塞したり、筒状部のいずれか一方の開口部を集束するよう窄めさせて閉塞したりして構成した請求項１乃至８のいずれか記載の伸縮保護具。
【請求項１０】
キルティング加工により一体化して成る表生地と裏生地とは撥水性を有して成る請求項１乃至９のいずれか記載の伸縮保護具。
【請求項１１】
被梱包物に装着して、この被梱包物を保護するよう表生地と裏生地との間に緩衝材を介装してキルティング加工することで三層構造とした梱包保護具本体を備えて成る伸縮保護具において、裏生地は編物製生地であって、伸縮自在に編み込んで伸張可能とした伸縮性面素材によって形成されていて、この裏生地と表生地とを共に伸張させた状態で緩衝材を挟み込んで重ね合わせてキルティング加工を施して成り、被梱包物に装着するときの筒状の梱包保護具本体は少なくともその胴周方向に沿って伸縮自在にしてあることを特徴とする伸縮保護具。
【請求項１２】
被梱包物に装着して、この被梱包物を保護するよう表生地と裏生地との間に緩衝材を介装すると共に、裏生地の表面に保護カバーあるいは表生地を被装してキルティング加工することで四層構造とした梱包保護具本体を備えて成る伸縮保護具において、裏生地は編物製生地であって、伸縮自在に編み込んで伸張可能とした伸縮性面素材によって形成されていて、この裏生地と表生地と保護カバーとを共に伸張させた状態で緩衝材を挟み込んで重ね合わせてキルティング加工を施して成り、被梱包物に装着するときの筒状の梱包保護具本体は少なくともその胴周方向に沿って伸縮自在にしてあることを特徴とする伸縮保護具。
【請求項１３】
被梱包物に装着して、この被梱包物を保護するよう表生地と裏生地との間に緩衝材を介装すると共に、裏生地の表面に緩衝材を介装させて保護カバーあるいは表生地を被装してキルティング加工することで五層構造とした梱包保護具本体を備えて成る伸縮保護具において、裏生地は編物製生地であって、伸縮自在に編み込んで伸張可能とした伸縮性面素材によって形成されていて、この裏生地と表生地と保護カバーとを共に伸張させた状態で緩衝材を挟み込んで重ね合わせてキルティング加工を施して成り、被梱包物に装着するときの筒状の梱包保護具本体は少なくともその胴周方向に沿って伸縮自在にしてあることを特徴とする伸縮保護具。
【発明の詳細な説明】
【技術分野】
【０００１】
本発明は、例えば移転、引越等に伴い家具、置物その他の各種物品を移動するときのこれらの物品である被梱包物を外部からの衝撃や接触による物損等から防止し、また雨水等からもこれらの被梱包物を保護でき、さらには移動時に限らず、各種物品の保管時の保護をも図ることができ、しかも軽量である伸縮保護具に関する。
【背景技術】
【０００２】
従来から、移転、引越等に伴う各種の物品である被梱包物を保護するのに、特許文献１に示される家具運搬用保護カバーが提案されている。この保護カバーは、緩衝材を内部に封入した布製の筒状体の胴周方向にゴム紐を伸張した状態で配設すると共に、筒状体の全面にキルティング加工を施して成る。この保護カバーは、運搬すべき家具等の被梱包物に被せることで使用され、ゴム紐の弾力でフィットでき、家具の傷付きを防止し、不使用時では縮小されることで持ち運びが便利であるとする。
【先行技術文献】
【特許文献】
【０００３】
【特許文献１】特開平１０−１７５６６８号公報
【発明の概要】
【発明が解決しようとする課題】
【０００４】
しかしながら、上記の特許文献１による保護カバーでは表布と裏布との間にポリエステル製白綿等を詰め、さらにゴム紐を内包状に縫製して成るキルティング材によるから、製造時において、複数本のゴム紐の全てを予め伸張させた状態で等間隔ごとに表布と裏布との間に配列させる必要がある。ただ、これらの作業は面倒であるばかりでなく、しかも複数のゴム紐を使用した分だけ保護カバー自体の価格も高いものとなる。
【０００５】
また、特許文献１によれば、細い線状のゴム紐の伸縮性による１次元的な弾力でフィットさせているため、被梱包物に対する密着性およびその保護性能は十分に得られない。
【０００６】
さらに、保護カバーの筒状体はその表裏による使用が一定のものとして構成してあるから、これの表裏反転の使用は困難である。このため、例えば被梱包物からの取り外し後に梱包具本体の表裏が反転した状態となった場合には、これを元通りにするのに時間がかかり非常に面倒である。
【０００７】
そこで、本発明は叙上のような従来存した諸事情に鑑み創出されたもので、従来のようなゴム紐の組み込み使用を必要とせず、軽量にして安価で且つ簡易に製作でき、また梱包後の被梱包物に対する弾力フィット性を２次元的に拡張可能にすることで被梱包物に対する密着性を向上でき、移動時のみならず保管時においての被梱包物の保護はもとより、保護具自体を容易に取り扱うことができ、また表裏で反転使用できるようにした伸縮保護具を提供することを目的とする。
【課題を解決するための手段】
【０００８】
上述した課題を解決するため本発明にあっては、被梱包物Ｐに装着して被梱包物Ｐを保護するよう表生地２と裏生地３との間に緩衝材４を介装してキルティング加工した梱包保護具本体１を備えて成る伸縮保護具において、裏生地３は伸縮自在に編み込んで伸張可能とした伸縮性面素材によって形成されていて、この裏生地３と表生地２とを共に伸張させた状態で緩衝材４を挟み込んで重ね合わせてキルティング加工を施し、伸縮可能にしてあることを特徴とする。
表生地２、裏生地３は共に編物製生地によって、また、表生地２は織物製生地であり、裏生地３は編物製生地であるとして形成することができる。
編物製生地である裏生地３あるいは表生地２の表面には保護カバー１５、好もしくは非編物製生地による素材例えば織物製生地の表生地２を伸縮可能に重ね合わせて被装することで形成することができる。
裏生地３は、伸縮自在な糸素材を編み込んで形成することができる。
梱包保護具本体１は、全方向に伸張可能に形成することができる。
梱包保護具本体１は、裏生地３の伸張方向が少なくとも胴周方向となるようにキルティング加工された筒状に形成することができる。
筒状に形成した梱包保護具本体１の少なくともいずれか一方の開口部１１を、所定形状の閉塞片１３の周縁を開口部１１に連設して閉塞したり、筒状部のいずれか一方の開口部１１を集束するよう窄めさせて閉塞したりして構成することができる。
キルティング加工により一体化して成る表生地２と裏生地３とは、例えば撥水剤の塗布等によって撥水性を有して成るものとすることができる。
また、具体的には、被梱包物Ｐに装着して被梱包物Ｐを保護するよう表生地２と裏生地３との間に緩衝材４を介装してキルティング加工することで三層構造とした梱包保護具本体１を備えて成る伸縮保護具において、裏生地３は編物製生地であって、伸縮自在に編み込んで伸張可能とした伸縮性面素材によって形成されていて、裏生地３と表生地２とを共に伸張させた状態で緩衝材４を挟み込んで重ね合わせてキルティング加工を施して成り、被梱包物Ｐに装着するときの筒状の梱包保護具本体１は少なくともその胴周方向に沿って伸縮自在にしてあることを特徴とする。
あるいは、梱包保護具本体１は、表生地２と裏生地３との間に緩衝材４を介装すると共に、裏生地３の表面に保護カバー１５あるいは表生地２を被装してキルティング加工して四層構造としたり、表生地２と裏生地３との間に緩衝材４を介装すると共に、裏生地３の表面に緩衝材４を介装させて保護カバー１５あるいは表生地２を被装してキルティング加工して五層構造としたりすることができる。
【０００９】
以上のように構成された本発明に係る伸縮保護具を構成する梱包保護具本体１にあって、伸縮自在に編み込んで伸張可能とした伸縮性面素材によって形成されている裏生地３は、これを伸張させることで筒状の梱包保護具本体１を拡張し、これの内部に被梱包物Ｐの収納空間を形成させる。また、梱包保護具本体１は、裏生地３を伸縮性面素材による編物製生地とすることで、従来、構成資材として必要とされていたゴム紐の組み込み使用を不要とさせる。
また、裏生地３は、伸縮自在な糸素材を編み込んで形成することで、梱包保護具本体１の伸縮性を一層増大させ、織物製生地とした表生地２を窄めさせ、伸張させる。
編物製生地である裏生地３、表生地２の表面に被装した伸縮可能な非編物製生地による素材である保護カバー１５は、非梱包物Ｐとの接触その他でほつれ等が生じやすい編物製生地である裏生地３、表生地２を保護し、長期にわたる使用を可能にさせる。
表生地２、緩衝材４、裏生地３のキルティング加工による三層構造とした梱包保護具本体１は、軽量に構成できることで取り扱いを容易にし、表生地２、緩衝材４、裏生地３、保護カバー１５（表生地２）のキルティング加工による四層構造とした梱包保護具本体１は、編物製生地の裏生地３に生じ得るほつれ等を防止し、表生地２、緩衝材４、裏生地３、緩衝材４、保護カバー１５（表生地２）のキルティング加工による五層構造とした梱包保護具本体１は、被梱包物Ｐの保護を一層有効にさせる。
筒状の梱包保護具本体１において、裏生地３の伸張方向が少なくとも胴周方向となるようにキルティング加工されていることで、当該裏生地３を胴周方向に伸張させるだけで当該梱包保護具本体１の内部に被梱包物Ｐの筒状の収納空間を形成させる。
このように裏生地３の伸張方向が胴周方向となるようにキルティング加工された筒状の梱包保護具本体１は、裏生地３の胴周方向の収縮力により梱包保護具本体１内の被梱包物Ｐを全面にわたって緊密に被包させる。
表生地２、裏生地３の撥水性は、梱包保護具本体１の例えば屋外での使用に際し、被梱包物Ｐに対する雨水等による汚損を未然に防止させる。
しかも、取り外し後に梱包保護具本体１の表裏が反転した状態となった場合でも、表生地２と裏生地３とが撥水性を有しているため、被梱包物Ｐの移動その他に際し、例えば雨水があたることがあっても梱包保護具本体１の内外周面における撥水作用で雨水等をはじき、被梱包物Ｐを外部湿気から保護させる。
また、梱包保護具本体１における伸縮性、緩衝性によって、運搬移動する家具その他の被梱包物Ｐに限らず、各種物品の長期間あるいは一時的な保管に際する当該物品の損傷防止、保護に役立たせる。
【発明の効果】
【００１０】
以上説明したように本発明によれば、従来のように伸縮させるためのゴム紐の付設を必要とせずに、伸縮保護具を軽量にして安価で且つ簡易に製作でき、また梱包後の被梱包物Ｐに対する弾力フィット性を２次元的に拡張可能にすることで被梱包物Ｐに対する密着性を向上でき、移動、保管時の被梱包物Ｐの保護はもとより、梱包保護具本体１自体の取り扱いも容易にし、また表裏を反転した使用も可能にする。
【００１１】
すなわち、これは本発明に係る伸縮保護具を構成する梱包保護具本体１において、裏生地３は、伸縮自在な糸素材を編み込んで伸張可能とした伸縮性面素材によって形成されていて、この裏生地３と表生地２とを共に伸張させた状態で緩衝材４を挟み込んで重ね合わせてキルティング加工を施して成るからである。これにより、従来のように複数のゴム紐を各伸張した状態で配置してキルティング加工を施すという面倒な作業が不要となり、伸縮性面素材によって形成された１枚の裏生地３を生地面に沿って伸張させた状態でキルティング加工を施すという簡易な作業で梱包保護具本体１を安価に製作できる。しかも、梱包後の被梱包物Ｐに対する弾力フィット性を２次元的に拡張しているので、梱包保護具本体１の内外周面を反転して被梱包物Ｐを包覆するよう装着しても当該被梱包物Ｐに対する緊密な被包機能は損なわれず、使い勝手も向上する。
【００１２】
表生地２、裏生地３を共に編物製生地によって形成したり、あるいは表生地２は織物製生地、裏生地３は編物製生地であるとして形成したりしたので、従来のようなゴム紐を不要とした梱包保護具本体１を安価に製作できる。
【００１３】
編物製生地である裏生地３、表生地２の表面には、伸縮可能な非編物製生地による素材である保護カバー１５を被装してあるので、非梱包物Ｐに被せて使用したときの被梱包物Ｐとの接触その他によって編物製生地である場合に生じやすいほつれ等を防止でき、長期にわたって使用できるようにする。
【００１４】
また、表生地２、緩衝材４、裏生地３のキルティング加工による三層構造とした梱包保護具本体１は、軽量に構成できるので、被梱包物Ｐに対しての被せ、取り外す等に際しての取り扱いを容易にさせ、作業を効率的に遂行できる。
【００１５】
更に、表生地２、緩衝材４、裏生地３、保護カバー１５あるいは表生地２のキルティング加工による四層構造とした梱包保護具本体１は、保護カバー１５等によって裏生地３を保護でき、表裏反転使用による汎用性によって取り扱いを容易にさせる。
【００１６】
表生地２、緩衝材４、裏生地３、緩衝材４、保護カバー１５あるいは表生地２のキルティング加工による五層構造とした梱包保護具本体１は、裏生地３の表裏に配した緩衝材４が二重になっていることで被梱包物Ｐの保護を一層有効にし、編物生地製の裏生地３自体の保護はもとより、表裏反転使用に際しても作業者にとって表裏を意識することなく全く同様に使用できる。
【００１７】
梱包保護具本体１は、全方向に伸張可能に形成することで、梱包後の被梱包物Ｐに対する弾力フィット性が全面にわたって拡張され、これによって被梱包物Ｐに対する緊密な被包機能が得られる。
【００１８】
また、梱包保護具本体１は、裏生地３の伸張方向が少なくとも胴周方向となるようにキルティング加工された筒状にして形成することで、伸縮性面素材によって形成された１枚の裏生地３を胴周方向に伸張させた状態でキルティング加工を施すという簡易な作業で梱包保護具本体１を安価に製作できると共に、裏生地３の胴周方向の収縮力により被梱包物Ｐを緊密に被包させることができる。
【００１９】
筒状に形成した梱包保護具本体１の少なくともいずれか一方の開口部１１を、所定形状の閉塞片１３の周縁を開口部１１に連設して閉塞したり、筒状部のいずれか一方の開口部１１を集束するよう窄めさせて閉塞したりして構成したので、開放されている方の開口部１１によって被梱包物Ｐに被せるだけで良い。こうすることで例えば被梱包物Ｐの上方から覆うことで上面側は完全に包覆されたものとなり、例えば上方から降り注ぐ雨水等によっても被梱包物Ｐが濡れることはない。そればかりでなく、被梱包物Ｐの上面をも包覆させていることによって上方からの衝撃等から被梱包物Ｐを保護できる。
【００２０】
また、被梱包物Ｐの周囲、上下部等の全面を梱包保護具本体１によって覆うことで、あらゆる方向からの衝撃に対して被梱包物Ｐを保護でき、保護の安定性、安全性等を一層向上できる。
【００２１】
キルティング加工により緩衝材４を挟み込んで重ね合わせて一体化されて成る表生地２と裏生地３とは撥水性を有して成るので、表生地２の撥水性によって被梱包物Ｐへの装着、包覆時の雨水等の浸入を阻止させ、被梱包物Ｐを十分に保護できる。また、梱包保護具本体１の内外周面を反転して被梱包物Ｐを包覆したときでも被梱包物Ｐ自体の湿気分による保護が十分に確保される。
【００２２】
また、梱包保護具本体１は、緩衝材４による緩衝機能、表生地２、裏生地３自体の編物構成あるいは糸素材による伸縮機能を利用して移動、運搬する被梱包物Ｐのみならず、長期間あるいは一時的にでも保管する各種物品の保護カバーとしても使用可能である。例えばオートバイ用ヘルメット保管時の転動による損傷防止、ゴルフバッグ保管時の外部からの損傷防止、さらにはソファその他の家具に装着してのクッション材代用品、身体各部保護用のサポーターとしての使用等、各種用途に利用できる汎用性がある。
【００２３】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２４】
【図１】本発明を実施するための一形態を示す一部を拡大した切欠斜視図である。
【図２】同じく使用状態の一例における一部を拡大した切欠斜視図である。
【図３】表生地側から見た梱包保護具本体の伸縮状態を説明するもので、（ａ）は梱包保護具本体が収縮した状態の要部平面図、（ｂ）は梱包保護具本体が伸張した状態の要部平面図である。
【図４】同じく梱包保護具本体の伸縮状態を説明するもので、（ａ）は梱包保護具本体が収縮した状態の要部断面図、（ｂ）は梱包保護具本体が伸張した状態の要部断面図である。
【図５】裏生地の一例を示すもので、（ａ）は裏生地が収縮した状態の要部平面図、（ｂ）は裏生地が伸張した状態の要部平面図である。
【図６】裏生地の他例を示すもので、（ａ）は裏生地が収縮した状態の要部平面図、（ｂ）は裏生地が伸張した状態の要部平面図である。
【図７】同じく他の実施の形態における四層構造とした梱包保護具本体の伸縮状態を説明するもので、（ａ）は梱包保護具本体が収縮した状態の要部断面図、（ｂ）は梱包保護具本体が伸張した状態の要部断面図である。
【図８】同じく他の実施の形態における五層構造とした梱包保護具本体の伸縮状態を説明するもので、（ａ）は梱包保護具本体が収縮した状態の要部断面図、（ｂ）は梱包保護具本体が伸張した状態の要部断面図である。
【図９】筒状に形成した梱包保護具本体の他の例を示すもので、（ａ）は筒状部の一方開口部を窄めさせて面ファスナー帯で閉塞した状態の要部斜視図、（ｂ）は筒状部の一方開口部を閉塞片で閉塞する状態の要部斜視図である。
【発明を実施するための形態】
【００２５】
以下、図面を参照して本発明の実施の一形態を詳細に説明すると、図において示される符号１は、本発明に係る伸縮保護具を構成する梱包保護具本体であり、被梱包物Ｐに被せ、装着するために、例えば上下が開放された筒状（図１および図２参照）に形成されている。
【００２６】
梱包保護具本体１は、例えば布帛等の織物製生地による表生地２と、後述する合成樹脂製の伸縮自在な糸素材による織物あるいは編物製生地による裏生地３とを備え、これらの表生地２、裏生地３相互間に例えばポリエステル製の綿、天然綿、スラブウレタンシート、スポンジ、綿布等の緩衝材４を介装した状態で全面をキルティング加工することで三層構造としてある。尚、表生地２は、裏生地３と同様に伸縮自在な編物製生地によって形成することも可能であり、実質的には表生地２、裏生地３の少なくともいずれか一方がそれ自体で伸縮自在に伸張されるようになっていて、その伸張に伴い、窄まっている他方が展開・展延されることで縮小傾向の弾発作用が得られるものとなっていれば良い。
【００２７】
すなわち、このキルティング加工された梱包保護具本体１は、図３および図４に示すように、表生地２と裏生地３との間に緩衝材４が挟み込まれることで、緩衝材４が介装された三層構造のものとなっており、所定の方向に伸張した状態の裏生地３と、平坦状態で展延・展開されている緩衝材４、表生地２とが重ね合わせられて全面にわたって縫合されていることで形成される。梱包保護具本体１を例えば筒状に構成するとき、裏生地３は筒方向に直交する周方向である胴周方向に沿って縮小される傾向に弾発付勢されるように、胴周方向に沿って伸張された状態で表生地２と縫合され、その後に筒状に形成される。筒状の梱包保護具本体１とするには、伸縮されるようシート状に縫合された後、その辺縁同士を縫着したり、スライドファスナー、面ファスナー、釦その他によって着脱・開閉可能なものとしたりして筒状に構成される。
【００２８】
この梱包保護具本体１自体は、図示のように筒状に形成する場合に限らず、平坦なシート状に形成することも可能であり、また例えば所定幅員の帯状、ベルト状に形成したり、ループ状に形成したりすることも可能であり、被梱包物Ｐの形態に応じて様々な態様の梱包保護具本体１とすることができる。
【００２９】
緩衝材４を介装した表生地２と裏生地３との縫合状態は、図３（ｂ）に示すように、例えば等間隔に平行となるよう直線縫い糸６が縫い付けられ、さらに斜め格子状、もしくは互いに隣接する複数の縦ジグザグ状等となるように斜縫い糸５が縫い付けられて成る。こうすることで、梱包保護具本体１は斜縫い糸５および直線縫い糸６の縫製長手方向に対して直角方向に伸縮自在となる。これにより裏生地３が伸張前の元の状態に縮小した場合には、図３（ａ）および図４（ａ）に示すように、この縮小に伴って、互いに隣接する直線縫い糸６同士が近接方向に移動するため、表生地２は緩衝材４と共に上方に向けて断面コブ状に隆起した状態となって窄められる。
【００３０】
裏生地３を形成する伸縮性面素材は、全方向に伸張可能とするように構成することもでき、この場合、裏生地３は、全方向に伸張させた状態で平坦状にした表生地２と縫合されるもので、裏生地３自体の伸張状態が解放されると、梱包保護具本体１全体が窄まり状となる（図示せず）。
【００３１】
また、裏生地３自体の伸縮性面素材は、伸縮自在な糸素材、例えば伸縮性ある合成樹脂製の糸素材によって織り込むことで形成でき、さらには編み込むことでその伸縮性を一層増大させることができる。すなわち、裏生地３は２次元的な平面構造であるため筒状とした梱包保護具本体１の筒方向に直交する周方向あるいは筒方向（図１中、上下方向）の各方向で例えば好ましくは均等に、すなわち全ての面領域で伸び率が一定の弾性収縮力が得られるようになる。
【００３２】
具体的な裏生地３の織成用あるいは編成用の糸素材としては、例えば東レ・オペロンテックス株式会社製の高伸縮性を有するポリウレタン弾性繊維またはＰＴＴ複合繊維等の「ライクラ（登録商標）ファイバー」が使用されるが、これらに限定されるものではない。そして、例えば、図５に示すように、互いに重なり合った蛇行状のニット編み目７に沿って、透明なライクラ（登録商標）ファイバーが他の繊維と共に編み込まれて成ることで、裏生地３の２次元的な伸縮性が生まれる。すなわち、このようなニット編み目７により、図５（ａ）の収縮状態から、図５（ｂ）に示すように、太字の矢印で示した４方向、さらには全ての方向に伸張させたものとすることができ、いずれにしてもその伸張状態が容易に得られるようにしてある。
【００３３】
裏生地３の他例としては、図６に示すように、ライクラ（登録商標）ファイバーを織物の横糸８に、または縦糸９および横糸８の両方に使うこともできる。すなわち、ファイバーを織物の横糸８に使った場合の織込みにより、図６（ａ）の収縮状態から、図６（ｂ）に示すように、太字の矢印で示した二方向に伸張した状態が容易に得られる。
【００３４】
また、梱包保護具本体１の表生地２と裏生地３、すなわち筒状の梱包保護具本体１の内外周面である表裏の両面は撥水性を備えたものとしてあり、表生地２の形成素材が例えば布帛である場合にはその表面に例えば撥水剤１０（図４参照）を例えば塗布、噴霧等してある。もとより、裏生地３の形成素材自体が後述するように合成樹脂製の糸素材のものであれば撥水性ある合成樹脂素材の糸素材を採用する等とすることができる。
【００３５】
梱包保護具本体１は、図７あるいは図８に示すように四層構造あるいは五層構造とすることができる。図７に示す実施の形態にあっての梱包保護具本体１は、表生地２と裏生地３との間に緩衝材４を介装すると共に、裏生地３の表面に保護カバー１５あるいは表生地２を被装してキルティング加工することで形成される四層構造として成る。保護カバー１５は、好もしくは非編物製生地による素材としてあって、編物製生地である裏生地３による伸縮に対応して伸縮可能に重ね合わせて裏生地３等と一体化してあり、この裏生地３が編物製生地であることによって、例えば被梱包物Ｐに被せられたときに僅かな凹凸部分に引っ掛かること等で生じるほつれ等を防止するようにしている。尚、この保護カバー１５は、例えば織物製生地である表生地２とすることも可能である。
【００３６】
図８に示す実施の形態にあっての梱包保護具本体１は、表生地２と裏生地３との間に緩衝材４を介装すると共に、裏生地３の表面に緩衝材４を介装させて保護カバー１５あるいは表生地２を被装してキルティング加工することで形成される五層構造として成る。尚、保護カバー１５は、図７に示される実施の形態における保護カバー１５と同様で、特に異なるところはない。この実施の形態では、編物生地製の裏生地３の表裏にほぼ同一の積層構造が形成されることで、裏生地３の保護はもとより、表裏反転使用時でも同様に使用できると共に、二重の緩衝材４構造によって被梱包物Ｐの保護を一層確実にする。
【００３７】
尚、これらの図７、図８に示す実施の形態において、上記の三層構造のものと同様にこれを筒状、袋状に形成するも、シート状に形成するも被梱包物Ｐに応じて任意に選定でき、また、被梱包物Ｐの外形、その梱包形態に対応して種々な形状、態様のものとして変更可能であるのは勿論である。
【００３８】
梱包保護具本体１を、被梱包物Ｐを例えば上方から覆うようにした袋状形態とすることができ、この場合、筒状に形成すると共にいずれか一方の開口部１１を閉塞することで、例えば被梱包物Ｐの上面側から覆うように下部が開口された構成とする。すなわち、図９（ａ）に示すように、筒状部のいずれか一方の開口部１１を集束するよう窄めさせ、窄めさせた周囲を巻回固定する例えば面ファスナー帯１２もしくはテープ、紐材、スライドファスナー（図示せず）等にて閉塞すること等で構成する。
【００３９】
あるいは、図９（ｂ）に示すように、筒状に形成したときの梱包保護具本体１いずれか一方の開口部１１を、所定形状例えば円形状、あるいは矩形状その他の多角形状の閉塞片１３の周縁を開口部１１に縫い合わせたり、接合したり等によって連設して閉塞する。もとより、袋状形態とする場合に、被梱包物Ｐに対応させて構成されるもので、被梱包物Ｐの上方から被せるようにしたり、あるいは梱包保護具本体１内に被梱包物Ｐが収納されて、開口部１１に付設した提手によって持ち運びができるようにしたりすることも可能である（図示せず）。尚、閉塞片１３は伸縮可能に、例えば梱包保護具本体１と同様な構成とすることもできる。
【００４０】
さらには、梱包保護具本体１は、被梱包物Ｐの全体に装着して全面的に包覆させるよう、開閉自在な蓋片を有する袋状に形成することも可能である。いずれにしても、梱包保護具本体１自体は、シート状で適当な綴じ具で筒状に形成されるようになっていたり、それ自体で筒状に形成されていたり、また、必要に応じ閉塞可能にした開口部を備えた袋状に形成されていたり、開閉される蓋部材等を備えた袋状に形成されていたりすれば良く、これらは被梱包物Ｐの形態、その梱包状況、保護状況等によって適宜に選択される。
【００４１】
また、筒状あるいは袋状に構成された梱包保護具本体１の表裏は反転可能に、すなわち筒状による梱包保護具本体１に対する周囲の囲繞形態あるいは袋状による被梱包物Ｐの包覆形態のいずれによっても、これらの配置使用形態の外周側面、内周側面相互を反転させて使用できるように、いわゆるリバーシブル形態として構成することができる。この場合、表裏面で異なる色彩となるように適宜に彩色しておくと良い。
【００４２】
尚、梱包保護具本体１自体は、例えば大、中、小等の長さ、径等が各種に異なるタイプのものとして複数種で構成しておき、被梱包物Ｐに対応してそれらが選択されて使用されるようにしておくと良い。
【００４３】
また、図示を省略したが、被梱包物Ｐが例えばゴルフクラブ等のスポーツ娯楽用品等である場合に、梱包保護具本体１自体がこれらを収納し保持できるような、小径で細長袋状としたり、クラブヘッドに被せるヘッドカバーとしたりすることができる。さらには、保管時に転動しやすいオートバイヘルメットを包覆して、その損傷防止を図り、ソファー・椅子等の家具類に装着して使用するときの損傷防止とクッション材代用品として、身体各部を保護するサポーターとして、また緩衝材４による緩衝機能、断熱機能を活用しての保温・保冷バッグとして等の多用途に利用でき、このようにそれぞれの用途に対応した構成とすることが可能である。さらに必要に応じ、携帯し、持ち運びやすくするための手提げ部を付設して良い。
【００４４】
次にこれの使用の一例を説明すると、図２に示すように被梱包物Ｐに対応して所定大きさの梱包保護具本体１によって被梱包物Ｐに装着し、これを包覆するように、裏生地３を強制的に伸張させて被せれば良い。被せた後は、図４（ｂ）に示すように、裏生地３自体の収縮作用で被梱包物Ｐ周囲に密着し、緩衝材４によって外部からの衝撃等に対して被梱包物Ｐを保護するものとなる。
【００４５】
被梱包物Ｐの運搬後には、当該被梱包物Ｐから梱包保護具本体１が一端の開口部１１から捲るようにして取り外されるため、取り外し後には梱包保護具本体１の表裏が反転した状態となる。このような場合であっても表生地２、裏生地３は撥水性を有しているため、被梱包物Ｐの移動その他に際し、例えば雨水があたることがあっても梱包保護具本体１の内外周面における撥水作用で雨水等をはじき、被梱包物Ｐを外部湿気から保護する。
【符号の説明】
【００４６】
Ｐ…被梱包物
１…梱包保護具本体                      ２…表生地
３…裏生地                              ４…緩衝材
５…斜縫い糸                            ６…直線縫い糸
７…ニット編み目                        ８…横糸
９…縦糸                                １０…撥水剤
１１…開口部                            １２…面ファスナー帯
１３…閉塞片
１５…保護カバー
【図１】
2014111475.tif 000003
【図２】
2014111475.tif 000004
【図３】
2014111475.tif 000005
【図４】
2014111475.tif 000006
【図５】
2014111475.tif 000007
【図６】
2014111475.tif 000008
【図７】
2014111475.tif 000009
【図８】
2014111475.tif 000010
【図９】
2014111475.tif 000011
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
被梱包物に装着して、この被梱包物を保護するよう非編物製生地の素材による撥水性ある表生地と裏生地との間に緩衝材を介装すると共に、裏生地の表面に非編物製生地の素材による撥水性ある保護カバーあるいは前記表生地を被装してキルティング加工することで四層構造とした筒状の梱包保護具本体を備えて成る伸縮保護具において、裏生地は編物製生地であって、伸縮自在な糸素材を編み込んで伸縮自在に伸張可能とした伸縮性面素材によって形成されていて、この裏生地と表生地と保護カバーとを共に伸張させた状態で緩衝材を挟み込んで重ね合わせてキルティング加工を施して成り、被梱包物に装着するときの筒状の梱包保護具本体は全方向に沿って伸縮自在にしてあって、筒状に形成した梱包保護具本体の少なくともいずれか一方の開口部を、所定形状の閉塞片の周縁を開口部に連設して閉塞したり、筒状部のいずれか一方の開口部を集束するよう窄めさせて閉塞したりして構成してあることを特徴とする伸縮保護具。
【請求項２】
被梱包物に装着して、この被梱包物を保護するよう非編物製生地の素材による撥水性ある表生地と裏生地との間に緩衝材を介装すると共に、裏生地の表面に緩衝材を介装させて非編物製生地の素材による撥水性ある保護カバーあるいは前記表生地を被装してキルティング加工することで五層構造とした筒状の梱包保護具本体を備えて成る伸縮保護具において、裏生地は編物製生地であって、伸縮自在な糸素材を編み込んで伸縮自在に伸張可能とした伸縮性面素材によって形成されていて、この裏生地と表生地と保護カバーとを共に伸張させた状態で緩衝材を挟み込んで重ね合わせてキルティング加工を施して成り、被梱包物に装着するときの筒状の梱包保護具本体は全方向に沿って伸縮自在にしてあって、筒状に形成した梱包保護具本体の少なくともいずれか一方の開口部を、所定形状の閉塞片の周縁を開口部に連設して閉塞したり、筒状部のいずれか一方の開口部を集束するよう窄めさせて閉塞したりして構成してあることを特徴とする伸縮保護具。